(57)【要約】【課題】視聴者の情報提示レベルに応じて、視聴者に十分な情報量の映像を提示することができるようにする。【解決手段】マルチテレビシステム１は、３×３に配置された９台のテレビジョン受像機２により構成される。各テレビジョン受像機２において、視聴者指示取得部２１は、視聴者が指示した情報提示レベルを取得し、制御部３０に供給する。制御部３０は、視聴者によって指示された情報提示レベルに応じて、表示部２９に表示する映像を変更する。具体的には、制御部３０は、記録再生部２６に、記録媒体に記録されている映像を所定の再生速度で再生させ、表示部２９に表示させる。本発明は、例えば、複数の表示装置からなるマルチテレビシステムに適用できる。【選択図】図２
2008283236.tif 000002
【特許請求の範囲】
【請求項１】
１以上の映像を同時に表示させる画像処理システムにおいて、
視聴者によって指定された情報提示レベルを取得する取得手段と、
所定の記録媒体に記録された前記１以上の映像を所定の再生速度で再生する再生手段と、
所定の表示手段に表示される前記１以上の映像の情報量を、前記情報提示レベルに応じて変更する表示制御手段と
を備える画像処理システム。
【請求項２】
所定の表示手段には、複数の映像が表示され、
前記表示制御手段は、前記情報量として、前記映像の再生速度を変更し、
前記再生手段は、前記複数の映像を異なる速度で再生する
請求項１に記載の画像処理システム。
【請求項３】
前記映像の数に対応する１以上の前記表示手段をさらに備える
請求項１に記載の画像処理システム。
【請求項４】
前記１以上の映像を合成する合成手段をさらに備える
請求項１に記載の画像処理システム。
【請求項５】
前記再生手段により再生された前記映像の重要なフレームを抽出する抽出手段をさらに備える
請求項１に記載の画像処理システム。
【請求項６】
前記表示制御手段は、前記抽出手段が抽出した１以上の前記重要なフレームを同時に所定の表示手段に表示させる
請求項５に記載の画像処理システム。
【請求項７】
前記表示制御手段は、前記映像の数、前記映像の再生速度、前記映像のサイズ、または、前記映像の重要なフレームの抽出の有無を変更することにより、前記映像の情報量を変更する
請求項１に記載の画像処理システム。
【請求項８】
所定の前記情報提示レベルでは、標準速度で再生された１の映像が表示される
請求項７に記載の画像処理システム。
【請求項９】
所定の前記情報提示レベルでは、標準速度で再生された複数の映像が同時に表示される
請求項７に記載の画像処理システム。
【請求項１０】
所定の前記情報提示レベルでは、高速再生された１の映像と、標準速度で再生された１以上の映像が同時に表示される
請求項７に記載の画像処理システム。
【請求項１１】
所定の前記情報提示レベルでは、高速再生された複数の映像と、その映像の重要なフレームが同時に表示される
請求項７に記載の画像処理システム。
【請求項１２】
所定の前記情報提示レベルでは、高速再生された複数の映像が同時に表示される
請求項７に記載の画像処理システム。
【請求項１３】
１以上の映像を同時に表示させる処理を行う画像処理システムの画像処理方法において、
視聴者によって指定された情報提示レベルを取得し、
所定の記録媒体に記録された前記１以上の映像を所定の再生速度で再生することにより、所定の表示手段に表示される前記１以上の映像の情報量を、前記情報提示レベルに応じて変更する
ステップを含む画像処理方法。
【請求項１４】
１以上の映像を同時に表示させる処理を、コンピュータに実行させるプログラムにおいて、
視聴者によって指定された情報提示レベルを取得し、
所定の記録媒体に記録された前記１以上の映像を所定の再生速度で再生することにより、所定の表示手段に表示される前記１以上の映像の情報量を、前記情報提示レベルに応じて変更する
ステップを含む処理をコンピュータに実行させるプログラム。
【発明の詳細な説明】
【技術分野】
【０００１】
本発明は、画像処理システム、画像処理方法、およびプログラムに関し、特に、視聴者の情報提示レベルに応じて、視聴者に十分な情報量の映像を提示することができるようにする画像処理システム、画像処理方法、およびプログラムに関する。
【背景技術】
【０００２】
水平方向および垂直方向に配列された複数の表示装置からなるマルチディスプレイシステムが知られている（例えば、特許文献１参照）。このようなマルチディスプレイシステムでは、複数の表示装置全体で１つの映像を表示したり、複数の表示装置それぞれに異なる映像を表示させることが可能である。
【特許文献１】特開２００３−２８０６２３号公報
【発明の開示】
【発明が解決しようとする課題】
【０００３】
しかしながら、提示される情報を受け取る視聴者の能力には個人差があり、従来のマルチディスプレイシステムにおける映像の表示方法では、提示される情報量が少ないと感じる視聴者もいた。
【０００４】
即ち、従来のマルチディスプレイシステムでは、より多くの情報の提示を求める視聴者に対しては、十分満足な情報を提示することができているとは言い難かった。
【０００５】
本発明は、このような状況に鑑みてなされたものであり、視聴者の情報提示レベルに応じて、視聴者に十分な情報量の映像を提示することができるようにするものである。
【課題を解決するための手段】
【０００６】
本発明の一側面の画像処理システムは、１以上の映像を同時に表示させる画像処理システムにおいて、視聴者によって指定された情報提示レベルを取得する取得手段と、所定の記録媒体に記録された前記１以上の映像を所定の再生速度で再生する再生手段と、所定の表示手段に表示される前記１以上の映像の情報量を、前記情報提示レベルに応じて変更する表示制御手段とを備える。
【０００７】
前記映像の数に対応する１以上の前記表示手段をさらに設けることができる。
【０００８】
前記１以上の映像を合成する合成手段をさらに設けることができる。
【０００９】
前記再生手段により再生された前記映像の重要なフレームを抽出する抽出手段をさらに設けることができる。
【００１０】
本発明の一側面の画像処理方法は、１以上の映像を同時に表示させる処理を行う画像処理システムの画像処理方法において、視聴者によって指定された情報提示レベルを取得し、所定の記録媒体に記録された前記１以上の映像を所定の再生速度で再生することにより、所定の表示手段に表示される前記１以上の映像の情報量を、前記情報提示レベルに応じて変更するステップを含む。
【００１１】
本発明の一側面のプログラムは、１以上の映像を同時に表示させる処理を、コンピュータに実行させるプログラムにおいて、視聴者によって指定された情報提示レベルを取得し、所定の記録媒体に記録された前記１以上の映像を所定の再生速度で再生することにより、所定の表示手段に表示される前記１以上の映像の情報量を、前記情報提示レベルに応じて変更するステップを含む処理をコンピュータに実行させる。
【００１２】
本発明の一側面においては、視聴者によって指定された情報提示レベルが取得され、所定の記録媒体に記録された１以上の映像が所定の再生速度で再生されることにより、所定の表示手段に表示される１以上の映像の情報量が、情報提示レベルに応じて変更される。
【発明の効果】
【００１３】
本発明の一側面によれば、視聴者の情報提示レベルに応じて、視聴者に十分な情報量の映像を提示することができる。
【発明を実施するための最良の形態】
【００１４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１５】
本発明の一側面の画像処理システムは、１以上の映像を同時に表示させる画像処理システム（例えば、図１のマルチテレビシステム１）において、視聴者によって指定された情報提示レベルを取得する取得手段（例えば、図２の視聴者指示取得部２１）と、所定の記録媒体に記録された前記１以上の映像を所定の再生速度で再生する再生手段（例えば、図２の記録再生部２６）と、所定の表示手段に表示される前記１以上の映像の情報量を、前記情報提示レベルに応じて変更する表示制御手段（例えば、図２の制御部３０）とを備える。
【００１６】
前記映像の数に対応する１以上の前記表示手段（例えば、図２の表示部２９）をさらに設けることができる。
【００１７】
前記１以上の映像を合成する合成手段（例えば、図２の画像音声合成部２８）をさらに設けることができる。
【００１８】
前記再生手段により再生された前記映像の重要なフレームを抽出する抽出手段（例えば、図２の情報分析部２７）をさらに設けることができる。
【００１９】
本発明の一側面の画像処理方法は、１以上の映像を同時に表示させる処理を行う画像処理システムの画像処理方法において、視聴者によって指定された情報提示レベルを取得し（例えば、図８のステップＳ１１）、所定の記録媒体に記録された前記１以上の映像を所定の再生速度で再生することにより、所定の表示手段に表示される前記１以上の映像の情報量を、前記情報提示レベルに応じて変更する（例えば、図８のステップＳ１４乃至Ｓ１８）ステップを含む。
【００２０】
以下、図を参照して、本発明の実施の形態について説明する。
【００２１】
図１は、本発明を適用した画像処理システムであるマルチテレビシステム（システムとは、複数の装置が論理的に集合した物をいい、各構成の装置が同一筐体中にあるか否かは、問わない）の一実施の形態の構成例を示している。
【００２２】
図１のマルチテレビシステム１は、９台のテレビジョン受像機２11，２12，２13，２21，２22，２23，２31，２32、および２33と、その操作を行うリモートコマンダ３により構成されている。なお、本実施の形態では、図１に示されるように、マルチテレビシステム１が、横×縦が３×３の配置構成からなるシステムについて説明するが、マルチテレビシステムは、任意の複数台のテレビジョン受像機で構成することが可能であり、また、縦と横に配列する台数も同一の数に限定されるものではない。
【００２３】
以下において、テレビジョン受像機（以下、適宜、テレビと称する）２11，２12，２13，２21，２22，２23，２31，２32、および２33のそれぞれを特に区別する必要がない場合には、テレビジョン受像機２（テレビ２）とも称する。また、リモートコマンダ３を単にリモコン３ともいう。
【００２４】
テレビ２は、マルチテレビシステム１を構成する他のテレビ２と連携して、視聴者が要求する提示情報量のレベルである情報提示レベルに応じた各種の情報を提示する。ここで、情報とは、テレビ２自身が受信したテレビジョン信号や、他のテレビ２から供給された映像音声信号に基づく映像または音声を表す。また、テレビ２に表示される映像は、所定のフレームレートの画像（フレーム）により構成される。
【００２５】
なお、以下では、説明を簡単にするため、テレビ２に表示される映像についてのみ説明することとし、音声についての説明は省略するが、テレビジョン信号や映像音声信号などにおいて映像に音声が付随しているときは、その音声も映像とともにテレビ２から出力される。また、以下では、映像信号に対応する映像を送受信、記録、または再生する場合には、単に映像の送受信、記録、または再生などと記述する。
【００２６】
情報提示レベルは、本実施の形態では、レベル１からレベル５までの５段階で指定可能であるとし、レベル１が視聴者に提示される情報が最も少ないレベルで、レベル２，３，４，５となるにしたがい、視聴者に提示される情報が多くなる。
【００２７】
テレビ２の画面に表示される映像を視聴する視聴者は、リモコン３を操作することにより、受信チャンネル、音量ボリューム、または、情報提示レベルなどの、テレビ２に表示される映像または音声に関する各種の設定を行う。リモコン３は、視聴者によって操作された各種の設定に対応する信号を、赤外線通信などにより、テレビ２に送信する。
【００２８】
図２は、テレビジョン受像機２の機能的構成例を示すブロック図である。
【００２９】
テレビジョン受像機２は、視聴者指示取得部２１、周辺テレビ状態推定部２２、チューナ部２３、外部入力部２４、外部出力部２５、記録再生部２６、情報分析部２７、画像音声合成部２８、表示部２９、および制御部３０により構成されている。
【００３０】
視聴者指示取得部２１は、リモコン３を操作することによって視聴者が指示した内容（のコマンド）を受信し、制御部３０に供給する。例えば、視聴者指示取得部２１は、視聴者が指示した情報提示レベルを受信（取得）し、制御部３０に供給する。
【００３１】
周辺テレビ状態推定部２２は、例えば、IEEE(Institute of Electrical and Electronics Engineers)1394ケーブルなどの所定のケーブルを介して、他のテレビ２から、テレビ２の接続に関する情報を授受することにより、マルチテレビシステム１を構成するテレビ２の台数やその配列、全テレビ２の配列における自分の位置などを、配置構成情報として取得し、制御部３０に供給する。なお、マルチテレビシステム１において、１台のテレビ２は、残りの８台のテレビ２すべてと１対１に接続される必要は必ずしもなく、少なくとも他の１台のテレビ２と接続されていれば、その接続されているテレビ２を介した情報としてマルチテレビシステム１全体の構成などを取得することができる。
【００３２】
チューナ部２３は、制御部３０の制御の基に放送局（チャンネル）の選局を行い、図示せぬアンテナから供給されたテレビジョン信号を復調して記録再生部２６に供給する。なお、テレビジョン信号は、地上波放送の放送信号、BS (Broadcasting Satellite)またはC S(Communications Satellite)等の衛星放送の放送信号、ケーブルテレビ放送などの放送信号とすることができる。また、地上波放送の放送信号は、アナログまたはデジタルいずれでもよい。さらに、チューナ部２３には、インターネットなどを介したネットワーク放送（ストリーム放送）として提供される放送信号を受信するようにしてもよい。
【００３３】
外部入力部２４は、他のテレビ２から供給される映像を受信し、記録再生部２６または画像音声合成部２８に供給する。その反対に、外部出力部２５は、他のテレビ２に供給するために、記録再生部２６から供給される映像を出力する。
【００３４】
記録再生部２６は、制御部３０からの指示により、チューナ部２３から供給される映像、または、外部入力部２４から供給される映像を、ハードディスク、DVD(Digital Versatile Disc)等の図示せぬ記録媒体に記録する。また、記録再生部２６は、制御部３０からの指示により、記録媒体に記録されている映像を再生し、その再生された映像を情報分析部２７または画像音声合成部２８に供給する。なお、記録再生部２６が記録媒体に記録されている映像を再生する場合、記録時と等しい標準速度による再生（以下、適宜、等速再生という）と、標準速度よりも高速（例えば、２倍速）の速度による再生（以下、適宜、高速再生という）の２種類の速度で再生を行うことが可能である。
【００３５】
情報分析部２７は、制御部３０の指示にしたがい、記録再生部２６から供給される映像を分析して、映像を構成する各フレームから、視聴者にとって重要と思われるフレームである重要フレームを抽出し、制御部３０を介して画像音声合成部２８に供給する。情報分析部２７によって抽出される重要フレームには、例えば、緊急ニュースのテロップが表示されているフレーム、懸賞やクイズ応募の宛先などを示すフリップが映されているフレーム、盛り上がりシーンのフレームなどがある。
【００３６】
画像音声合成部２８は、制御部３０の指示にしたがい、記録再生部２６から供給される映像、外部入力部２４から供給される映像、または、制御部３０を介して情報分析部２７から供給される重要フレームをそのまま表示部２９に供給して、表示部２９に表示させる他、必要に応じて、それら複数の映像を合成した合成画像を表示部２９に表示させる。
【００３７】
表示部２９は、例えば、例えば、CRT（Cathode Ray Tube）ディスプレイ、LCD(Liquid Crystal display)や有機EL (Electro luminescence ) ディスプレイ、PDPなどのディスプレイで構成され、画像音声合成部２８から供給される映像を所定の画面に表示する。
【００３８】
制御部３０は、視聴者指示取得部２１から供給される視聴者の情報提示レベルと、周辺テレビ状態推定部２２から供給される配置構成情報とに基づいて、所定の映像を表示部２９に表示させる。また、制御部３０は、記録再生部２６に映像の記録または再生を指示したり、画像音声合成部２８に映像の合成の有無などを指示する。制御部３０が記録再生部２６に映像を再生させる場合には、再生速度も指示される。また、制御部３０が画像音声合成部２８に複数の映像を合成させる場合には、その合成方法についても制御部３０は画像音声合成部２８に指示する。なお、図２では、制御部３０から各部への制御線の図示が一部省略されている。
【００３９】
以上のように構成されるテレビジョン受像機２が隣り合う１台以上の他のテレビジョン受像機２と接続され、各テレビジョン受像機２は、リモコン３から供給される視聴者の情報提示レベルに応じて、全テレビ２の配列のなかの自分の位置を考慮した映像の表示を行う。
【００４０】
図３乃至図７を参照して、レベル１乃至５の各情報提示レベルの映像の表示について説明する。
【００４１】
図３乃至図７は、それぞれ、情報提示レベルがレベル１乃至５に指定されたときのテレビ２11乃至２33の表示例を示している。図３A，図４A，図５A，図６A、および図７Aがテレビ２の表示部２９に表示される映像を説明する図で、図３B，図４B，図５B，図６B、および図７Bがリモコン３における情報提示レベルの指定を概念的に示した図である。
【００４２】
以下では、説明を簡単にするため、テレビ２11，２12，２13，２21，２22，２23，２31，２32、または２33のチューナ部２３で受信して記録再生部２６に記録された映像を、テレビ２11，２12，２13，２21，２22，２23，２31，２32、または２33の記録再生部２６がそれぞれ再生することとし、テレビ２11，２12，２13，２21，２22，２23，２31，２32、または２33の記録再生部２６で再生される映像を、適宜、１CH（チャンネル），２CH，３CH，４CH，５CH，６CH，７CH，８CHまたは９CHの映像と呼ぶことにする。
【００４３】
図３Bに示されるように、情報提示レベルとして、最も提示情報量の少ないレベル１が視聴者により指定された場合、テレビ２11乃至２33は、図３Aに示されるような映像の表示を行う。即ち、情報提示レベル１では、テレビ２11乃至２33のうちの真ん中に配置されているテレビ２22（以下、適宜、中心テレビ２とも称する）は、５CHの映像を等速再生により表示し、その他のテレビ２11，２12，２13，２21，２23，２31，２32、または２33（以下、適宜、周辺テレビ２とも称する）のそれぞれは、リモコン３において情報提示レベル１が指定されたタイミングで再生を停止(スチル)させたときの１CH，２CH，３CH，４CH，６CH，７CH，８CHまたは９CHの映像（静止画像）を表示する。
【００４４】
これにより、視聴者は、中心テレビ２に表示された映像だけに集中し、余裕を持って視聴することができるので、５CHの映像中の細かい情報に気を配ったり、リラックスして鑑賞することができる。なお、中心テレビ２以外の周辺テレビ２は、実質的には使用していないことになるので、情報提示レベル１の表示を、テレビ２11乃至２33の９画面全体で５CHの映像を表示するようにしてもよい。
【００４５】
次に、リモコン３を操作して、視聴者が情報提示レベルをレベル１からレベル２へ変更した場合（図４B）、テレビ２11乃至２33は、図４Aに示されるような映像の表示を行う。即ち、情報提示レベル２では、テレビ２11乃至２33が、それぞれ、１乃至９CHの映像を等速再生により表示する。
【００４６】
これにより、情報提示レベル１と比較すると、視聴者は、５CHの映像に加えて、等速再生された１乃至４CHの映像と６乃至９CHの映像も同時に視聴することができるので、提示情報量は増大し、視聴者の情報取得効率が向上する。
【００４７】
さらに、視聴者により、情報提示レベルがレベル２からレベル３に変更された場合（図５B）、図５Aに示されるように、周辺テレビ２は、そのまま１乃至４CHまたは６乃至９CHの映像を等速表示し、中心テレビ２は、５CHの映像を高速再生により表示する。
【００４８】
これにより、情報提示レベル３は、情報提示レベル２よりも中心テレビ２で提示される情報の密度（情報密度）が向上し、視聴者の情報取得効率がさらに向上する。
【００４９】
情報提示レベルがレベル４に指定された場合（図６B）には、図６Aに示されるように、１画面を３×３の９分割した分割画面に、テレビ２11乃至２33の各記録再生部２６で高速再生された１乃至９CHの映像が表示されるように合成した合成映像が、中心テレビ２で表示される。
【００５０】
一方、周辺テレビ２は、見落とし防止のための情報表示を行う。即ち、テレビ２11乃至２21およびテレビ２23乃至２33では、テレビ２11乃至２33の各情報分析部２７において抽出された重要フレームが表示される。
【００５１】
従って、情報提示レベル４では、空間方向の提示情報量は少なくなるが、中心テレビ２だけで１乃至９CHの映像を視聴することができ、さらに、見落としてはいけない重要な情報が重要フレームとして周辺テレビ２に表示されるので、提示情報量が増大する。
【００５２】
情報提示レベルがレベル５に指定された場合（図７B）には、図７Aに示されるように、テレビ２11乃至２33が、それぞれ、１乃至９CHの映像を高速再生により表示する。この情報提示レベル５の表示では、情報提示レベル４よりも、１乃至９CHの各映像の情報量が多いので、視聴者は見落とす可能性も少ないため、情報提示レベル４よりも視聴者の情報取得効率が向上すると言える。
【００５３】
次に、図８のフローチャートを参照して、テレビ２の表示制御処理について説明する。この処理は、リモコン３において、視聴者が所定の情報提示レベルを指定する操作を行い、リモコン３からテレビ２に、情報提示レベルを表すコマンドが送信されてきたときに開始される。
【００５４】
初めに、ステップＳ１１において、視聴者指示取得部２１は、情報提示レベルを表すコマンドを受信し、制御部３０に供給する。
【００５５】
ステップＳ１２において、制御部３０は、視聴者指示取得部２１からのコマンドを取得し、視聴者が指定した情報提示レベルに変更があるかを判定する。
【００５６】
ステップＳ１２で、視聴者が指定した情報提示レベルに変更があると判定された場合、即ち、いま設定されている情報提示レベルとリモコン３から送信されてきた情報提示レベルが異なる場合、処理はステップＳ１３に進む。一方、ステップＳ１２で、視聴者が指定した情報提示レベルに変更がないと判定された場合、表示制御処理は終了する。
【００５７】
ステップＳ１３では、視聴者によって指定された情報提示レベルが制御部３０により判定される。指定された情報提示レベルがレベル１，２，３，４、または５であると判定された場合、それぞれ、処理はステップＳ１４，Ｓ１５，Ｓ１６，Ｓ１７、またはＳ１８に進む。
【００５８】
情報提示レベル１が指定された場合のステップＳ１４では、制御部３０は、図３を参照して説明した情報提示レベル１の映像表示を表示部２９に行わせるレベル１表示制御処理を実行し、処理を終了する。
【００５９】
情報提示レベル２が指定された場合のステップＳ１５では、制御部３０は、図４を参照して説明した情報提示レベル２の映像表示を表示部２９に行わせるレベル２表示制御処理を実行し、処理を終了する。
【００６０】
情報提示レベル３が指定された場合のステップＳ１６では、制御部３０は、図５を参照して説明した情報提示レベル３の映像表示を表示部２９に行わせるレベル３表示制御処理を実行し、処理を終了する。
【００６１】
情報提示レベル４が指定された場合のステップＳ１７では、制御部３０は、図６を参照して説明した情報提示レベル４の映像表示を表示部２９に行わせるレベル４表示制御処理を実行し、処理を終了する。
【００６２】
情報提示レベル５が指定された場合のステップＳ１８では、制御部３０は、図７を参照して説明した情報提示レベル５の映像表示を表示部２９に行わせるレベル５表示制御処理を実行し、処理を終了する。
【００６３】
情報提示レベル１乃至５の映像表示を行わせるステップＳ１４乃至Ｓ１８の各処理の詳細については、図９乃至１３を参照して後述する。
【００６４】
図８の表示制御処理は、リモコン３からテレビ２に、所定の情報提示レベルを表すコマンドが次に送信されてきたときに、再び開始されるので、リモコン３から、いま設定されている情報提示レベルと異なる情報提示レベルのコマンドが次に送信されてくるまでは、いま設定されている情報提示レベルの映像表示が継続される。
【００６５】
図９は、図８のステップＳ１４におけるレベル１表示制御処理のフローチャートを示している。
【００６６】
初めに、ステップＳ３１において、制御部３０は、周辺テレビ状態推定部２２から供給される配置構成情報に基づいて、自分が真ん中の装置であるか、即ち、自分（テレビ２）が中心テレビ２であるかを判定する。
【００６７】
ステップＳ３１で、自分が真ん中の装置であると判定された場合、処理はステップＳ３２に進み、制御部３０は、記録媒体に記録されている所定の映像を記録再生部２６に等速再生させる。また、ステップＳ３２において、制御部３０は、記録再生部２６から供給される映像をそのまま表示部２９に表示させるように画像音声合成部２８を制御する。
【００６８】
一方、ステップＳ３１で、自分が真ん中の装置ではないと判定された場合、ステップＳ３３において、制御部３０は、記録再生部２６の再生を停止させ、表示部２９をスチル表示にする。より具体的には、制御部３０は、記録再生部２６に対して、再生停止の指示を供給するとともに、画像音声合成部２８にスチル表示の指示を供給する。画像音声合成部２８は、スチル表示の指示により、その指示が供給されたタイミングの映像（静止画像）を継続的に表示部２９に表示させる。
【００６９】
その結果、マルチテレビシステム１全体では、図３Aに示したように、真ん中に配置されているテレビ２22が５CHの映像を等速再生により表示し、その他のテレビ２11，２12，２13，２21，２23，２31，２32、または２33は、それぞれ、リモコン３において情報提示レベル１が指定されたタイミングで再生を停止(スチル)させたときの１CH，２CH，３CH，４CH，６CH，７CH，８CH、または９CHの映像（静止画像）を表示する。
【００７０】
なお、情報提示レベル１が指定される以前に、真ん中に配置されているテレビ２22以外のテレビ２11，２12，２13，２21，２23，２31，２32、および２33で映像を再生表示していない場合には、表示部２９には何も表示されない。
【００７１】
次に、図１０のフローチャートを参照して、図８のステップＳ１５におけるレベル２表示制御処理について説明する。
【００７２】
レベル２表示制御処理では、ステップＳ５１において、制御部３０は、記録媒体に記録されている所定の映像を等速再生させるように記録再生部２６を制御するとともに、記録再生部２６から供給される映像をそのまま表示部２９に表示させるように画像音声合成部２８を制御し、処理は図８の表示制御処理に戻る。
【００７３】
その結果、マルチテレビシステム１全体では、図４Aに示したように、テレビ２11乃至２33が、それぞれ、１乃至９CHの映像を等速再生により表示する。
【００７４】
図１１は、図８のステップＳ１６におけるレベル３表示制御処理のフローチャートを示している。
【００７５】
初めに、ステップＳ７１において、制御部３０は、周辺テレビ状態推定部２２から供給される配置構成情報に基づいて、自分が真ん中の装置であるか、即ち、自分（テレビ２）が中心テレビ２であるかを判定する。
【００７６】
ステップＳ７１で、自分が真ん中の装置であると判定された場合、処理はステップＳ７２に進み、制御部３０は、記録媒体に記録されている所定の映像を記録再生部２６に高速再生させる。また、ステップＳ７２において、制御部３０は、記録再生部２６から供給される映像をそのまま表示部２９に表示させるように画像音声合成部２８を制御する。
【００７７】
一方、ステップＳ７１で、自分が真ん中の装置ではないと判定された場合、ステップＳ７３において、制御部３０は、記録媒体に記録されている所定の映像を記録再生部２６に等速再生させる。また、ステップＳ７２において、制御部３０は、記録再生部２６から供給される映像をそのまま表示部２９に表示させるように画像音声合成部２８を制御する。
【００７８】
その結果、マルチテレビシステム１全体では、図５Aに示したように、真ん中に配置されているテレビ２22が５CHの映像を高速再生により表示し、その他のテレビ２11，２12，２13，２21，２23，２31，２32、または２33は、それぞれ、１CH，２CH，３CH，４CH，６CH，７CH，８CH、または９CHの映像を等速再生により表示する。
【００７９】
図１２は、図８のステップＳ１７におけるレベル４表示制御処理のフローチャートを示している。
【００８０】
初めに、ステップＳ９１において、制御部３０は、周辺テレビ状態推定部２２から供給される配置構成情報に基づいて、自分が真ん中の装置であるか、即ち、自分（テレビ２）が中心テレビ２であるかを判定する。
【００８１】
ステップＳ９１で、自分が真ん中の装置であると判定された場合、処理はステップＳ９２に進み、制御部３０は、記録媒体に記録されている所定の映像を記録再生部２６に高速再生させる。
【００８２】
ステップＳ９３において、外部入力部２４は、接続されている周辺テレビ２から供給される映像の取り込みを開始する。これにより、テレビ２11，２12，２13，２21，２23，２31，２32、および２33において高速再生されている、１CH，２CH，３CH，４CH，６CH，７CH，８CH、および９CHの映像が画像音声合成部２８に供給される。
【００８３】
ステップＳ９４において、制御部３０は、記録再生部２６から供給される５CHの映像と、外部入力部２４から供給される１CH乃至４CHおよび６CH乃至９CHの映像を、画像音声合成部２８に合成させ、表示部２９に表示させる。
【００８４】
一方、ステップＳ９１で、自分が真ん中の装置ではないと判定された場合、ステップＳ９５において、制御部３０は、記録媒体に記録されている所定の映像を記録再生部２６に高速再生させるとともに、高速再生された映像を外部出力部２５と情報分析部２７に供給させる。
【００８５】
ステップＳ９６において、外部出力部２５は、記録再生部２６から供給される映像を中心テレビ２に出力する。なお、周辺テレビ２が直接中心テレビ２と接続されていない場合には、他の周辺テレビ２を経由して中心テレビ２に映像を供給する場合もある。
【００８６】
ステップＳ９７において、制御部３０は、重要フレーム抽出処理開始を情報分析部２７に開始させる。抽出された重要フレームは、制御部３０に供給される。
【００８７】
ステップＳ９８において、制御部３０は、重要フレームを表示部２９に表示させる。即ち、制御部３０は、情報分析部２７から供給された重要フレームを画像音声合成部２８に供給して、表示部２９に表示させる。
【００８８】
その結果、マルチテレビシステム１全体では、図６Aに示したように、真ん中に配置されているテレビ２22は、テレビ２11乃至２33の各記録再生部２６で高速再生された１乃至９CHの映像が合成された合成映像を表示するとともに、テレビ２11乃至２21およびテレビ２23乃至２33は、各自の情報分析部２７で抽出された重要フレームが表示される。
【００８９】
なお、あるテレビ２では、多数の重要フレームが抽出され、あるテレビ２では、ほとんど重要フレームが抽出されないという状況も考えられる。そこで、各テレビ２で抽出された重要フレームを自分の表示部２９に表示するのではなく、各周辺テレビ２の表示部２９に順番に、各テレビ２で抽出された重要フレームを表示するようにしてもよい。あるいは、各周辺テレビ２の表示部２９に表示されている重要フレームのうち、最も古い重要フレームを表示している周辺テレビ２を検索し、その検索された表示部２９に表示するようにしてもよい。即ち、重要フレームの表示は、それを担当している周辺テレビ２で連携した表示を行うようにさせることができる。
【００９０】
次に、図１３のフローチャートを参照して、図８のステップＳ１８におけるレベル５表示制御処理について説明する。
【００９１】
レベル５表示制御処理では、ステップＳ１１１において、制御部３０は、記録媒体に記録されている所定の映像を高速再生させるように記録再生部２６を制御するとともに、記録再生部２６から供給される映像をそのまま表示部２９に表示させるように画像音声合成部２８を制御し、処理は図８の表示制御処理に戻る。
【００９２】
その結果、マルチテレビシステム１全体では、図７Aに示したように、テレビ２11乃至２33が、それぞれ、１乃至９CHの映像を高速再生により表示する。
【００９３】
以上のように、図１のマルチテレビシステム１では、提示情報量が異なる５段階にテレビ２11乃至２33の表示を切り替えることにより、情報を受け取る視聴者の能力に応じて、提示情報量を変更することができる。より具体的には、視聴者が指示した情報提示レベルによって、表示部２９に表示する映像の数、再生速度、重要フレーム抽出機能の有無（情報理解アシストの量）、提示画面数、または、映像のサイズを変更することにより、提示情報量が変更される。
【００９４】
これにより、情報密度の濃い情報を欲している視聴者には、そのような情報の提示をすることができ、視聴者の情報提示レベルに応じた十分な情報提示（映像の提示）を行うことができる。
【００９５】
なお、映像の再生速度は、上述した例では、等速再生（標準再生）と高速再生の２段階に分けたが、低速再生と等速再生などでもよい。さらに、３以上の再生速度に分けてもよい。
【００９６】
また、異なる再生速度の映像を同時に表示させる場合の再生速度を、設定画面等で予め設定したり、または、再生表示中にリモコン３等を操作して指示することによって、視聴者が指定することができるようにすることも可能である。
【００９７】
上述した情報提示レベル１では、３×３に配列された９台のテレビ２11乃至２33のうち、中心テレビ２に等速再生された映像を表示させるようにしたが、周辺テレビ２に等速再生された映像を表示させるようにしてもよい。即ち、情報提示レベル１において等速再生された映像を表示させるテレビ２を決めておけば、９台のうちのどのテレビ２でもよい。情報提示レベル３または４についても同様である。
【００９８】
さらに、上述した例では、チューナ２３を内蔵する表示装置であるテレビジョン受像機２が、映像を所定の記録媒体に記録または再生する記録再生部２６を有することとしたが、表示機能と記録再生機能を別々の装置として構成することも可能である。即ち、入力される映像を表示する表示装置と、所定の記録媒体に映像を記録するとともに、その記録媒体に記録された映像を再生する記録再生装置を１対１に対応させ、それらを９台相互に接続してマルチテレビシステム１を構成することも可能である。
【００９９】
または、上述した例において９台の表示部２９に表示させた映像を、１画面の合成画像として１台の表示装置に表示させるようにして、１台の表示装置と９台の記録再生装置によりマルチテレビシステム１を構成してもよい。
【０１００】
さらには、複数の記録媒体を備え、９種類の映像を同時に記録または再生する記録再生装置を用いれば、１台の表示装置と１台の記録再生装置によりマルチテレビシステム１を構成し、上述した表示制御処理を実行することも可能である。
【０１０１】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１０２】
図１４は、上述した一連の処理をプログラムにより実行するコンピュータのハードウエアの構成例を示すブロック図である。
【０１０３】
コンピュータにおいて、CPU（Central Processing Unit）１０１，ROM（Read Only Memory）１０２，RAM（Random Access Memory）１０３は、バス１０４により相互に接続されている。
【０１０４】
バス１０４には、さらに、入出力インタフェース１０５が接続されている。入出力インタフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、或いは半導体メモリなどのリムーバブルメディア１２１を駆動するドライブ１１０が接続されている。
【０１０５】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【０１０６】
コンピュータ（CPU１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１２１に記録して、あるいは、ローカルエリアネットワーク、インターネット、デジタル衛星放送といった、有線または無線の伝送媒体を介して提供される。
【０１０７】
そして、プログラムは、リムーバブルメディア１２１をドライブ１１０に装着することにより、入出力インタフェース１０５を介して、記憶部１０８にインストールすることができる。また、プログラムは、有線または無線の伝送媒体を介して、通信部１０９で受信し、記憶部１０８にインストールすることができる。その他、プログラムは、ROM１０２や記憶部１０８に、あらかじめインストールしておくことができる。
【０１０８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０９】
また、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１１０】
本発明の実施の形態は、上述した実施の形態に限定されるものではなく、本発明の要旨を逸脱しない範囲において種々の変更が可能である。
【図面の簡単な説明】
【０１１１】
【図１】本発明を適用したマルチテレビシステムの一実施の形態の構成例を示す図である。
【図２】テレビジョン受像機の機能的構成例を示すブロック図である。
【図３】情報提示レベル１の表示を説明する図である。
【図４】情報提示レベル２の表示を説明する図である。
【図５】情報提示レベル３の表示を説明する図である。
【図６】情報提示レベル４の表示を説明する図である。
【図７】情報提示レベル５の表示を説明する図である。
【図８】マルチテレビシステムの表示制御処理を説明するフローチャートである。
【図９】レベル１表示制御処理を説明するフローチャートである。
【図１０】レベル２表示制御処理を説明するフローチャートである。
【図１１】レベル３表示制御処理を説明するフローチャートである。
【図１２】レベル４表示制御処理を説明するフローチャートである。
【図１３】レベル５表示制御処理を説明するフローチャートである。
【図１４】本発明を適用したコンピュータの一実施の形態の構成例を示すブロック図である。
【符号の説明】
【０１１２】
１  マルチテレビシステム，  ２11乃至２33  テレビジョン受像機，  ２１  視聴者指示取得部，  ２６  記録再生部，  ２７  情報分析部，  ２８  画像音声合成部，  ２９  表示部
【図１】
2008283236.tif 000003
【図２】
2008283236.tif 000004
【図３】
2008283236.tif 000005
【図４】
2008283236.tif 000006
【図５】
2008283236.tif 000007
【図６】
2008283236.tif 000008
【図７】
2008283236.tif 000009
【図８】
2008283236.tif 000010
【図９】
2008283236.tif 000011
【図１０】
2008283236.tif 000012
【図１１】
2008283236.tif 000013
【図１２】
2008283236.tif 000014
【図１３】
2008283236.tif 000015
【図１４】
2008283236.tif 000016